(57)【要約】【課題】本発明は、検索項目を検索結果リストの好ましい位置に配置する検索システムと方法を提供することを目的とする。【解決手段】  広域網により複数の受信装置およびプロモーティング装置と通信する検索サーバと、複数の検索用語、検索項目、金額を複数のプロモーティング装置から受信するプロモーティングアプリケーションと、複数の検索項目および金額を記憶するデータベースとを備え、受信装置からの検索問合わせを受信し、データベースに記憶されて検索用語にリンクされた金額を使用して検索項目を修飾してそれを検索結果リストの好ましい位置に配置し、検索結果リストの発生部分を含む第１の検索結果ウェブページ300 を複数の受信装置の１つへ提供するように構成されている。【選択図】      図３
2005025714.tif 000002
【特許請求の範囲】
【請求項１】
検索項目を少なくとも１つの検索結果リストへ配置する検索システムにおいて、
広域網により複数の受信装置と複数のプロモーティング装置と通信するように構成された検索サーバと、
複数の検索用語、検索項目、金額を複数のプロモーティング装置から受信するように構成され、前記複数の金額のそれぞれが前記複数の検索用語の対応する１つ、および前記複数の検索項目に関連されているプロモーティングアプリケーションと、
前記複数の金額の前記それぞれが前記対応している前記複数の検索用語および前記複数の検索項目の１つにリンクされるように前記複数の検索項目および金額を記憶するデータベースとを具備し、検索アプリケーションは、
前記複数の受信装置の１つから検索の問合わせを受信し、
前記データベースに記憶され、前記検索用語にリンクされている少なくとも金額を使用して、前記少なくとも１つの検索結果リストに対する予め定められた数を超えない数の検索項目を修飾し、
前記修飾された検索項目を前記少なくとも１つの検索結果リストの少なくとも１つの好ましい位置に配置し、
少なくとも１つのアルゴリズムにしたがって前記修飾された項目を配置し、前記少なくとも１つのアルゴリズムは前記修飾された検索項目にリンクされている金額とは独立しており、
前記少なくとも１つの検索結果リストの少なくとも１つの発生部分を含んでいる第１の検索結果ウェブページを前記複数の受信装置の１つへ提供するように構成されている検索システム。
【請求項２】
前記少なくとも１つのアルゴリズムは前記修飾された検索項目をランダムに配置するように構成されている請求項１記載の検索システム。
【請求項３】
前記少なくとも１つのアルゴリズムは前記修飾された検索項目のうち関連性の少ない１つの項目の前に前記修飾された検索項目のうち関連性の高い１つの項目を配置するように構成されている請求項１記載の検索システム。
【請求項４】
前記検索アプリケーションは前記少なくとも１つの検索結果リストの好ましくない位置に修飾されていない検索項目を配置し、前記検索の問合わせに対する関連性にしたがって前記修飾されていない検索項目を配置するようにさらに構成されている請求項１記載の検索システム。
【請求項５】
前記プロモーティングアプリケーションは前記複数のプロモーティング装置が前記複数の検索用語のうち少なくとも１つに入札することを可能にすることによって電子オークションをホストするようにさらに構成されている請求項１記載の検索システム。
【請求項６】
前記プロモーティングアプリケーションはさらに前記複数の検索用語のそれぞれ１つに対応する少なくとも１つの固定した金額を決定するように構成されている請求項１記載の検索システム。
【請求項７】
対応する検索項目が前記少なくとも１つの好ましい位置の１つに配置される場合に、前記複数の金額のそれぞれ１つは対応するプロモータにより支払われる額を含んでいる請求項５記載の検索システム。
【請求項８】
対応する検索項目が前記少なくとも１つの好ましい位置の１つに配置され、前記複数の受信装置のうちの１つにより対話されるならば、前記複数の金額のそれぞれ１つは対応するプロモータにより支払われる額を含んでいる請求項５記載の検索システム。
【請求項９】
前記検索アプリケーションはさらに予め定められた数よりも多くはない検索項目を修飾するために前記データベースに記憶されている経歴情報を使用するように構成されている請求項１記載の検索システム。
【請求項１０】
前記少なくとも１つの検索結果リストは１次検索結果リストおよび保証された検索結果リストとを含んでおり、前記保証された検索結果リストは前記第１の検索結果ウェブページの前記１次検索結果の発生部分よりも上に位置付けられており、
前記検索アプリケーションは修飾されていない検索項目を前記１次検索結果リストに配置するようにさらに構成されている請求項１記載の検索システム。
【請求項１１】
前記少なくとも１つの検索結果リストは多数の検索結果リストを含んでおり、
前記プロモーティングアプリケーションは検索結果位置データを前記複数のプロモーティング装置から受信するようにさらに構成され、前記検索結果位置データは、修飾された検索項目を前記多数の検索結果リストのうち少なくとも１つに配置するために、前記データベースに記憶され、前記検索アプリケーションにより使用される請求項１記載の検索システム。
【請求項１２】
前記少なくとも１つの検索結果リストは前記第１の検索結果ウェブページで発生する１次検索結果リストをさらに含んでおり、
前記検索アプリケーションはさらに前記１次検索結果リストに修飾されていない検索項目を配置するように構成されている請求項１１記載の検索システム。
【請求項１３】
前記検索アプリケーションはさらに、前記多数の検索結果リストのそれぞれ１つに対して予め定められた数より多くない検索項目を修飾するように前記検索結果位置データを使用するように構成されている請求項１２記載の検索システム。
【請求項１４】
前記多数の検索結果リストは前記第１の検索結果ウェブページの前記１次検索結果リストの発生部分よりも上に位置付けられている第１の検索結果リストと、前記第１の検索結果ウェブページの前記１次検索結果リストの発生部分よりも下に位置付けられている第２の検索結果リストとを含んでいる請求項１３記載の検索システム。
【請求項１５】
前記多数の検索結果リストは前記第１の検索結果ウェブページの前記１次検索結果リストの発生部分の左側に位置付けられている第１の検索結果リストと、前記第１の検索結果ウェブページの前記１次検索結果リストの発生部分の右側に位置付けられている第２の検索結果リストを含んでいる請求項１３記載の検索システム。
【請求項１６】
前記多数の検索結果リストはさらに、前記第１の検索結果ウェブページの前記１次検索結果リストの発生部分の左側に位置付けられている第３の検索結果リストと、前記第１の検索結果ウェブページの前記１次検索結果リストの発生部分の右側に位置付けられている第４の検索結果リストを含んでいる請求項１４記載の検索システム。
【請求項１７】
前記少なくとも１つのアルゴリズムは前記修飾された検索項目をランダムに配置するように構成されている請求項１６記載の検索システム。
【請求項１８】
前記少なくとも１つのアルゴリズムは前記修飾された検索項目のうち関連性の少ない１つの項目の前に前記修飾された検索項目のうち関連性の高い１つの項目を配置するように構成されている請求項１６記載の検索システム。
【請求項１９】
前記少なくとも１つの検索結果リストは多数の検索結果リストを含んでおり、
前記プロモーティングアプリケーションは検索結果嗜好データを前記複数のプロモーティング装置から受信するようにさらに構成されており、前記検索結果嗜好データのそれぞれは前記多数の検索結果リストのうち少なくとも１つを識別し、前記データベースに記憶されている請求項１記載の検索システム。
【請求項２０】
前記検索アプリケーションは前記複数の金額と検索結果嗜好データのうちの対応する１つにしたがって前記多数の検索結果リストの特定の１つのリストに前記修飾された検索項目のうちのそれぞれ１つを配置するようにさらに構成されている請求項１９記載の検索システム。
【請求項２１】
前記少なくとも１つの検索結果リストは前記第１の検索結果ウェブページで発生する１次検索結果リストをさらに含んでおり、
前記検索アプリケーションは修飾されていない検索項目を前記１次検索結果リストに配置するようにさらに構成されている請求項２０記載の検索システム。
【請求項２２】
前記多数の検索結果リストは前記第１の検索結果ウェブページの前記１次検索結果リストの発生部分よりも上に位置付けられている第１の検索結果リストと、前記第１の検索結果ウェブページの前記１次検索結果リストの発生部分よりも下に位置付けられている第２の検索結果リストを含んでいる請求項２１記載の検索システム。
【請求項２３】
前記多数の検索結果リストは前記第１の検索結果ウェブページの前記１次検索結果リストの発生部分の左側に位置付けられている第１の検索結果リストと、前記第１の検索結果ウェブページの前記１次検索結果リストの発生部分の右側に位置付けられている第２の検索結果リストを含んでいる請求項２１記載の検索システム。
【請求項２４】
前記多数の検索結果リストは前記第１の検索結果ウェブページの前記１次検索結果リストの発生部分の左側に位置付けられている第３の検索結果リストと、前記第１の検索結果ウェブページの前記１次検索結果リストの発生部分の右側に位置付けられている第４の検索結果リストをさらに含んでいる請求項２２記載の検索システム。
【請求項２５】
前記少なくとも１つのアルゴリズムは前記修飾された検索項目をランダムに配置するように構成されている請求項２４記載の検索システム。
【請求項２６】
前記少なくとも１つのアルゴリズムは前記修飾された検索項目のうち関連性の少ない１つの項目の前に前記修飾された検索項目のうち関連性の高い１つの項目を配置するように構成されている請求項２４記載の検索システム。
【請求項２７】
修飾された検索項目を複数の検索結果リストへ配置する検索システムにおいて、
広域網により複数の受信装置と複数のプロモーティング装置と通信するように構成された検索サーバと、
複数の検索用語、検索項目、検索結果リストデータ、金額を前記複数のプロモーティング装置から受信するように構成され、前記複数の金額のそれぞれ１つは対応している前記複数の検索用語と検索結果リストデータと検索項目の１つに関連されているプロモーティングアプリケーションと、
前記複数の金額の前記それぞれ１つが前記対応している前記複数の検索用語と前記検索結果リストデータと検索項目の１つにリンクされるように前記複数の検索項目と検索結果リストデータと金額を記憶するデータベースとを具備し、
検索アプリケーションは、
前記複数の受信装置の１つから検索の問合わせを受信し、
前記データベースに記憶され、前記検索用語にリンクされている少なくとも金額を使用して、前記複数の検索結果リストのそれぞれに予め定められた数を超えない数の検索項目を修飾し、
前記データベースに記憶され、前記修飾された検索項目にリンクされている少なくとも検索結果リストデータを使用して、前記修飾された検索項目のそれぞれ１つを前記複数の検索結果リストの少なくとも１つに配置し、
前記修飾された検索項目を少なくとも１つのアルゴリズムにしたがって配置し、
前記検索の問合わせに関連する修飾されていない検索項目を１次検索結果リストに配置し、
第１の検索結果ウェブページを前記複数の受信装置のうちの１つへ提供し、前記第１の検索結果ウェブページは前記１次検索結果リストの少なくとも１つの発生部分と前記複数の検索結果リストの少なくとも一部分を含むように構成されている検索システム。
【請求項２８】
前記少なくとも１つのアルゴリズムは前記修飾された検索項目をランダムに配置するように構成されている請求項２７記載の検索システム。
【請求項２９】
前記少なくとも１つのアルゴリズムは前記修飾された検索項目のうち関連性の少ない１つの項目の前に前記修飾された検索項目のうち関連性の高い１つの項目を配置するように構成されている請求項２７記載の検索システム。
【請求項３０】
前記少なくとも１つのアルゴリズムは前記修飾された検索項目を配置するために少なくとも前記修飾された検索項目にリンクされている少なくとも金額を使用するように構成されている請求項２７記載の検索システム。
【請求項３１】
前記プロモーティングアプリケーションはさらに前記複数のプロモーティング装置が前記複数の検索用語のうち少なくとも１つに入札することを可能にすることによって電子オークションをホストするように構成されている請求項２７記載の検索システム。
【請求項３２】
対応する検索項目が前記複数の検索結果リストの１つに配置されるならば、前記複数の金額のそれぞれは支払われる額を含んでいる請求項３１記載の検索システム。
【請求項３３】
対応する検索項目が前記複数の検索結果リストの１つに配置され、前記複数の受信装置のうちの１つにより対話されるならば、前記複数の金額のそれぞれは支払われる額を含んでいる請求項３１記載の検索システム。
【請求項３４】
前記検索アプリケーションは前記予め定められた数を超えない数の検索項目を修飾するために前記データベースに記憶されている経歴情報を使用するようにさらに構成されている請求項２７記載の検索システム。
【請求項３５】
前記複数の検索結果リストデータのそれぞれは検索結果位置データを含んでおり、前記検索結果位置データは前記複数の検索結果リストの少なくとも１つを識別する請求項２７記載の検索システム。
【請求項３６】
前記複数の検索結果リストデータのそれぞれは検索結果嗜好データを含んでおり、前記検索結果嗜好データは前記複数の検索結果リストの好ましい少なくとも１つのリストを識別する請求項２７記載の検索システム。
【請求項３７】
前記複数の検索結果リストは前記第１の検索結果ウェブページの前記１次検索結果リストの発生部分よりも上に位置付けられている第１の検索結果リストと、前記第１の検索結果ウェブページの前記１次検索結果リストの発生部分よりも下に位置付けられている第２の検索結果リストとを含んでいる請求項２７記載の検索システム。
【請求項３８】
前記複数の検索結果リストは前記第１の検索結果ウェブページの前記１次検索結果リストの発生部分の左側に位置付けられている第１の検索結果リストと、前記第１の検索結果ウェブページの前記１次検索結果リストの発生部分の右側に位置付けられている第２の検索結果リストとを含んでいる請求項２７記載の検索システム。
【請求項３９】
前記複数の検索結果リストは前記第１の検索結果ウェブページの前記１次検索結果リストの前記発生部分の左側に位置付けられている第３の検索結果リストと、前記第１の検索結果ウェブページの前記１次検索結果リストの発生部分の右側に位置付けられている第４の検索結果リストとをさらに含んでいる請求項３７記載の検索システム。
【請求項４０】
少なくとも１つの検索結果リストに検索項目を配置する方法において、
第１の検索用語、検索項目、金額を前記検索項目のプロモータから受信し、
前記検索用語、前記検索項目、および前記金額を記憶し、
第２の検索用語をサーチャから受信し、
少なくとも前記金額と、前記第１の検索用語と、前記第２の検索用語とを使用して、前記検索項目が少なくとも１つの検索結果リストの少なくとも１つの好ましい位置に配置されるように修飾されるか否かを決定し、前記少なくとも１つの好ましい位置は予め定められた数の配置位置を含んでおり、
前記検索項目が前記少なくとも１つの検索結果リストに配置されるように修飾されるならば、前記検索項目と少なくとも１つの他の修飾された検索項目を１つのアルゴリズムにしたがって前記少なくとも１つの検索結果リストの前記少なくとも１つの好ましい位置に配置し、前記アルゴリズムは前記金額と独立しており、
前記少なくとも１つの検索結果リストの少なくとも一部分を含んでいる第１の検索結果ウェブページを前記サーチャへ提供するステップを含んでいる方法。
【請求項４１】
少なくとも１つの前記第１の検索用語が受信される前に前記プロモータへ提供するステップをさらに含んでいる請求項４０記載の方法。
【請求項４２】
さらに、前記検索用語、前記検索項目、前記金額を記憶する前記ステップはさらに前記検索用語と前記金額を前記検索項目にリンクする記憶請求項４０記載の方法。
【請求項４３】
前記検索項目が少なくとも１つの好ましい位置に配置されるために修飾されるか否かを決定するために少なくとも前記金額、前記第１の検索用語、前記第２の検索用語を使用する前記ステップはさらに、前記第１の検索用語と前記第２の検索用語が等しいか否か、前記金額が比較的高額か否かを決定するステップを含んでいる請求項４０記載の方法。
【請求項４４】
前記検索項目が少なくとも１つの好ましい位置に配置されるように修飾されるか否かを決定するために少なくとも前記金額、前記第１の検索用語、前記第２の検索用語を使用する前記ステップは、前記金額が前記少なくとも１つの他の検索項目にリンクされている少なくとも１つの他の金額と関係されている場合には経歴情報を使用するステップをさらに含んでいる請求項４３記載の方法。
【請求項４５】
前記検索項目と前記少なくとも１つの他の修飾された検索項目を配置する前記ステップはさらに、前記検索項目と前記少なくとも１つの他の修飾された検索項目を前記少なくとも１つの検索結果リストの前記少なくとも１つの好ましい位置にランダムに配置するステップを含んでいる請求項４０記載の方法。
【請求項４６】
前記検索項目と前記少なくとも１つの他の修飾された検索項目を配置する前記ステップはさらに、前記検索項目が前記少なくとも１つの他の修飾された検索項目よりも関連性がある場合には、前記少なくとも１つの他の修飾された検索項目の前に前記検索項目を配置するステップを含んでいる請求項４０記載の方法。
【請求項４７】
第１の検索結果ウェブページを提供する前記ステップは、１次検索結果リストの少なくとも１つの発生部分と、前記１次検索結果リストの上に実質上存在する前記少なくとも１つの検索結果リストを含んでいる第１の検索結果ウェブページを前記サーチャへ提供するステップをさらに含んでおり、前記１次検索結果リストは少なくとも修飾されていない関連間作項目を含んでいる請求項４０記載の方法。
【請求項４８】
第１の検索用語、検索項目、金額を受信する前記ステップはさらに、前記少なくとも１つの検索結果リストのうちの少なくとも特定の１つを識別する検索リスト位置データを受信するステップを含んでおり、少なくとも前記金額、前記検索用語、前記第２の検索用語を使用する前記ステップはさらに、前記少なくとも１つの検索結果リストのうちの前記少なくとも特定の１つに配置するように前記検索項目を修飾するために前記検索リスト位置データを使用する請求項４０記載の方法。
【請求項４９】
第１の検索結果ウェブページを提供する前記ステップは、１次検索結果リストの少なくとも発生部分と、前記１次検索結果リストよりも上の少なくとも１つの第１の検索結果リストとを含んでいる前記第１の検索結果ウェブページを提供するステップをさらに含んでおり、前記検索項目は前記検索リスト位置データが少なくとも前記第１の検索結果リストを識別して前記検索項目が前記第１の検索結果リストに配置されることを修飾されるならば前記第１の検索結果リストに現れる請求項４８記載の方法。
【請求項５０】
第１の検索結果ウェブページを提供する前記ステップはさらに、前記１次検索結果リストよりも下の少なくとも１つの第２の検索結果リストを含んでいる前記第１の検索結果ウェブページを提供するステップをさらに含んでおり、前記検索項目は前記検索リスト位置データが少なくとも前記第２の検索結果リストを識別し、前記検索項目が前記第２の検索結果リストに配置されるために修飾される場合には前記第２の検索結果リストに現れる請求項４９記載の方法。
【請求項５１】
第１の検索結果ウェブページを提供する前記ステップはさらに、前記１次検索結果リストの左側に少なくとも１つの第３の検索結果リストを含んでいる前記第１の検索結果ウェブページを提供するステップを含んでおり、前記検索項目は前記検索リスト位置データが少なくとも前記第３の検索結果リストを識別し、前記検索項目が前記第３の検索結果リストに配置されるために修飾される場合には前記第３の検索結果リストに現れる請求項５０記載の方法。
【請求項５２】
第１の検索結果ウェブページを提供する前記ステップはさらに、前記１次検索結果リストの右側に少なくとも１つの第４の検索結果リストを含んでいる前記第１の検索結果ウェブページを提供するステップを含んでおり、前記検索項目は前記検索リスト位置データが少なくとも前記第４の検索結果リストを識別し、前記検索項目が前記第４の検索結果リストに配置されるために修飾される場合には前記第４の検索結果リストに現れる請求項５１記載の方法。
【請求項５３】
第１の検索用語、検索項目、金額を受信する前記ステップはさらに、前記少なくとも１つの検索結果リストのうちの少なくとも好ましい１つを識別する検索リスト嗜好データを受信するステップを含んでおり、少なくとも前記金額、前記第１の検索用語、第２の検索用語を使用する前記ステップはさらに前記少なくとも１つの検索結果リストに配置されるように前記検索項目を修飾するために前記検索リスト嗜好データを使用する前記請求項４０記載の方法。
【請求項５４】
第１の検索結果ウェブページを提供する前記ステップはさらに、１次検索結果リストの少なくとも発生部分と、前記１次検索結果リストよりも上の少なくとも１つの第１の検索結果リストを含んでいる前記第１の検索結果ウェブページを提供するステップを含んでおり、前記検索項目はそれが前記第１の検索結果リストに配置されるために修飾される場合には前記第１の検索結果リストに現れる請求項５３記載の方法。
【請求項５５】
第１の検索結果ウェブページを提供する前記ステップはさらに、前記１次検索結果リストよりも下の少なくとも１つの第２の検索結果リストを含んでいる前記第１の検索結果ウェブページを提供するステップを含んでおり、前記検索項目はそれが前記第２の検索結果リストに配置されるために修飾される場合には前記第２の検索結果リストに現れる請求項５４記載の方法。
【請求項５６】
第１の検索結果ウェブページを提供する前記ステップはさらに、前記１次検索結果リストの左側に少なくとも１つの第３の検索結果リストを含んでいる前記第１の検索結果ウェブページを提供するステップを含んでおり、前記検索項目はそれが前記第３の検索結果リストに配置されるために修飾される場合には前記第３の検索結果リストに現れる請求項５５記載の方法。
【請求項５７】
第１の検索結果ウェブページを提供する前記ステップはさらに、前記１次検索結果リストの右側に少なくとも１つの第４の検索結果リストを含んでいる前記第１の検索結果ウェブページを提供するステップを含んでおり、前記検索項目はそれが前記第４の検索結果リストに配置されるために修飾される場合には前記第４の検索結果リストに現れる請求項５６記載の方法。
【請求項５８】
複数の検索結果リストの少なくとも１つに検索項目を配置する方法において、
第１の検索用語、検索項目、金額、検索結果データを前記検索項目のプロモータから受信し、
第２の検索項目をサーチャから受信し、
少なくとも前記金額と、前記第１の検索用語と、前記第２の検索用語とを使用して、前記検索項目が複数の検索結果リストの少なくとも１つの好ましい位置に配置されるために修飾されるか否かを決定し、
前記検索項目が前記複数の検索結果リストの少なくとも１つに配置されるように修飾される場合には、前記検索項目と少なくとも１つの他の修飾された検索項目とを１つのアルゴリズムにしたがって前記複数の検索結果リストの前記少なくとも１つの前記好ましい位置に配置し、
さらに、１次検索結果リストの少なくとも発生部分と、前記複数の検索結果リストの少なくとも一部分とを含んでいる前記第１の検索結果ウェブページを前記サーチャへ提供し、前記１次検索結果リストは少なくとも修飾されていない関連する検索項目を含んでいる検索項目の配置方法。
【請求項５９】
前記検索項目と少なくとも１つの他の修飾された検索項目とを配置する前記ステップはさらに、前記検索項目と、前記少なくとも１つの他の修飾された検索項目とをランダムに配置するステップを含んでいる請求項５８記載の方法。
【請求項６０】
前記検索項目と少なくとも１つの他の修飾された検索項目とを配置する前記ステップはさらに、前記検索項目が前記少なくとも１つの他の修飾された検索項目よりも前記検索用語に対して関連性がある場合には、前記少なくとも１つの他の修飾された検索項目の前に前記検索項目を配置する請求項５８記載の方法。
【請求項６１】
前記検索項目と少なくとも１つの他の修飾された検索項目を配置する前記ステップはさらに、少なくとも前記金額と前記少なくとも１つの他の修飾された検索項目にリンクされている少なくとも１つの他の金額とにしたがって、前記検索項目と前記少なくとも１つの他の修飾された検索項目とを配置する請求項５８記載の方法。
【請求項６２】
第１の検索用語、検索項目、金額、および検索結果リストデータを受信する前記ステップはさらに、検索結果位置データを受信するステップを含んでおり、前記検索結果位置データは前記複数の検索結果リストのうち少なくとも特定の１つを識別し、前記検索項目が前記複数の検索結果リストの前記特定の１つの好ましい位置へ配置するように修飾されているか否かを決定するために前記金額、前記第１の検索用語および前記第２の検索用語と共に使用される請求項５８記載の方法。
【請求項６３】
第１の検索用語、検索項目、金額、および検索結果リストデータを受信する前記ステップはさらに、検索結果嗜好データを受信するステップを含んでおり、前記検索結果嗜好データは前記複数の検索結果リストのうち最も好ましい少なくとも１つを識別し、前記検索項目が前記複数の検索結果リストの前記最も好ましい１つの位置へ配置するように修飾されているか否かを決定するために前記金額、前記第１の検索用語および前記第２の検索用語と共に使用される請求項５８記載の方法。
【請求項６４】
第１の検索結果ウェブページを提供する前記ステップはさらに、前記１次検索結果リストの前記発生部分よりも上の第１の検索結果リストと、前記１次検索結果リストの前記発生部分よりも下の第２の検索結果リストを前記サーチャへ提供するステップを含んでいる請求項５８記載の方法。
【請求項６５】
第１の検索結果ウェブページを提供する前記ステップはさらに、前記１次検索結果リストの前記発生部分の左側の第１の検索結果リストと、前記１次検索結果リストの前記発生部分の右側の第２の検索結果リストとを前記サーチャへ提供するステップを含んでいる請求項５８記載の方法。
【請求項６６】
第１の検索結果ウェブページを提供する前記ステップはさらに、前記１次検索結果リストの前記発生部分の左側の第３の検索結果リストと、前記１次検索結果リストの前記発生部分の右側の第４の検索結果リストを前記サーチャへ提供するステップを含んでいる請求項６４記載の方法。
【発明の詳細な説明】
【技術分野】
【０００１】
本発明は少なくとも１つの検索結果のリストに検索項目（listing ）を位置付けることに関し、少なくとも１つの検索結果リストの好ましい位置に検索項目を配置するよう修飾するため検索項目にリンクされた少なくとも１つの金額を使用し、１つのアルゴリズムにしたがって好ましい位置に検索項目を順序付けるシステムおよび方法に関する。
【背景技術】
【０００２】
本特許明細書は著作権保護を受けるマテリアルを含んでいる。著作権の所有者ヤフーは、これらが米国または任意の他の国の特許および商標局の登録で見られるとき本願特許明細書または任意の関連する資料の複製に異議をもたないが、他の手段で全ての権利を保有する。
【０００３】
インターネット等の広域網はネットワークに接続されている装置から情報を検索（またはその装置へ情報を提供）するのに有用である。しかしながら、このようなネットワークの共通の欠点はネットワークユーザ（即ち受信装置）が関連情報を突止めるのに問題を有することである。同様に、情報プロバイダ（即ちプロモーティング装置）は情報を関連するユーザ（即ちユーザの特定のグループ）へ提供するのに問題を有する。
【０００４】
この欠点に対する１つの解決法は検索エンジンの出現によって生じている。検索エンジンは検索用語（即ち“dog ”、“beauty supplies ”等）をネットワークユーザから受信し、それに応答してユーザへ検索用語に理論的に関連する情報（または情報へのハイパーリンク）を含んだ検索結果リストを提供できる。伝統的な検索アプリケーションは関連情報のネットワークを自動的に検索するために自動化されたクローリングアプリケーション（例えば“ウェブクローラ”）および関連アルゴリズムを使用することにより関連情報を突止める。その代わりに、人間（例えば検索エンジンエディタ）は関連情報をネットワークでマニュアル走査するために使用されることができる。しかしながら２つの方法の１つの欠点は情報プロバイダが情報を特定のユーザへ提供することを可能にしないことである。例えば、これらの方法は自動車のディーラが自動車を購入しようとしているネットワークユーザへ直接的に情報を提供するようにできない。
【０００５】
伝統的な検索アプリケーションと対比して、商業化された検索アプリケーションは特定の検索結果リスト（即ち特定の検索用語に応答する検索結果リスト）のディスクリートな位置を販売することによって関連情報を突止める。例えば、特定の検索結果リストの第１の位置は最高入札者へ競売され、第２の位置は第２に高い入札者へ競売される。この方法は情報プロバイダが情報を特定のユーザ（即ち特定の検索用語を入力するユーザ）へ提供することを可能にするが、ユーザに最も関連する情報を提供することはできない。これは検索結果リスト（即ち検索項目）の情報が関連性ではなく入札額にしたがって順序付けされているためである。
【発明の開示】
【発明が解決しようとする課題】
【０００６】
したがって、（ｉ）（ディスクリートな配置位置の購入とは反対に）情報プロバイダが検索結果リストの好ましい位置の配置を購入して購入量と無関係なアルゴリズムにしたがって好ましい位置に順序づけることを可能にし、または（ii）情報プロバイダが多数の検索結果リストの好ましい位置または少なくとも１つのディスクリートな位置の少なくとも１つの配置を購入することを可能にすることによって、さらに関連性のある情報（即ち検索項目）をネットワークユーザへ提供する検索アプリケーションが必要とされている。
【課題を解決するための手段】
【０００７】
本発明は少なくとも１つの検索結果リストの好ましい位置に検索項目を配置することを修飾し、１つのアルゴリズムにしたがって好ましい位置を順序付けるシステムおよび方法を提供する。本発明の好ましい実施形態では、検索装置はインターネットのような広域網により複数の受信装置と複数のプロモーティング装置と通信するように構成されている。特に、検索装置は（ｉ）検索項目（例えばwww.yahoo.com 等）、検索用語（例えば“自動車”、“beauty supplies ”等）と、金額（例えば＄１．００等）の情報のアイテムをプロモーティング装置から受信し、（ii）受信装置の１つから検索の問合わせ（即ち検索用語）を受信し、（iii ）（それに応答して）少なくとも１つの検索結果リストに配置するように検索項目を修飾し、（iv）アルゴリズムにしたがって（例えばランダムに、関連性にしたがって、金額にしたがって）修飾された検索項目を配置するように構成されている。
【０００８】
検索システムの１実施形態は、広域網に接続された検索サーバと、受信された情報のアイテムを記憶するデータベースと、検索サーバによりデータベースおよび複数のプロモーティング装置と通信するように構成されているプロモーティングアプリケーションと、検索サーバによりデータベースおよび複数の受信装置と通信するように構成されている検索アプリケーションとを含んでいる。この実施形態では、プロモーティングアプリケーションは検索項目（例えばwww.yahoo.com 等）、検索用語（例えば“自動車”、“beauty supplies ”等）、金額（例えば＄１．００等）のような情報のアイテムを複数のプロモーティング装置から受信するように構成されており、各検索項目は少なくとも１つの対応する金額と１つの対応する検索用語に関連（またはリンク）されている。
【０００９】
さらに、この実施形態にしたがって、検索アプリケーションは１つの受信装置から検索の問合わせ（即ち検索用語）を受信し、それに応答して、複数のプロモーティング装置から受信された各検索項目を含む即ち（ｉ）検索の問合わせに関連し、（ii）検索結果リストへの配置を修飾された少なくとも１つの検索結果リストを提供するように構成されている。換言すると、検索項目にリンクされた検索用語が検索の問合わせと同一（または実質的に類似）ならば、第１のプロングは満足される。さらに、予め定められた金額数（即ち検索の問合わせに関連する予め定められた数の検索項目にリンクされている）が検索項目にリンクされた金額ほど高くないならば、第２のプロングは満足され、検索項目は検索結果リストに配置されるように修飾される。したがって、（ｉ）検索の問合わせに関連され、（ii）最高の金額にリンクされる予め定められた数の検索項目（例えば３、５等）だけが検索結果リストに配置されることを修飾される。
【００１０】
修飾された検索項目を決定後、検索アプリケーションはさらに少なくとも１つの検索結果リストの好ましい位置（例えば複数の配置位置の最上部等）に修飾された検索項目を位置付け、アルゴリズムにしたがって修飾された検索項目を配置（または順序付け）するように構成される。本発明の１実施形態では、アルゴリズムは任意の金額と独立している。したがって例えば、アルゴリズムは修飾された検索項目をランダムにまたは関連性にしたがって配置するように構成されている。本発明の別の実施形態では、アルゴリズムは修飾された検索項目にリンクされている金額に（部分的または全体的に）基づいている。
【００１１】
金額は検索結果リストに位置付けられるように検索項目を修飾するために使用されており、ある実施形態では、修飾された検索項目を配置することに使用されているが、金額は検索項目の特定のアクションの性質または検索項目に応答して料金請求するためにさらに使用される（例えば検索結果リストに検索項目を位置付け、検索項目等と対話する（例えばクリッキングスルー））。したがって、例えば検索項目のプロモータは検索項目が検索結果リストに配置されるか、検索者が（例えばプロモータのウェブサイト等を受信するために）検索項目をクリックスルーするならば対応する金額を料金請求される。さらに、本発明の１実施形態では、金額は複数のプロモーティング装置により与えられた入札額である。本発明の別の実施形態では、金額はプロモーティングアプリケーションにより与えられ複数のプロモーティング装置により選択された（または受入れられた）固定した金額である。
【００１２】
本発明の１実施形態では、検索アプリケーションはさらにウェブページ（“第１の検索結果ウェブページ”）を１つの検索結果リストの少なくとも一部（例えば発生部分）を含んでいる受信装置へ提供するように構成されている。
【００１３】
特別に、検索結果リストは好ましい位置に位置されている（アルゴリズムにしたがって配置されている）修飾された検索項目を含んでいる。本発明の別の実施形態では、検索結果リストは好ましくない位置（即ち残りの配置位置）に位置されている修飾されていない検索項目（例えば未払いの検索項目）をさらに含んでいる。
【００１４】
本発明の別の実施形態では、検索アプリケーションは２つの検索結果リスト、即ち１次検索結果リストの少なくとも発生部分と保証された（sponsored ）検索結果リストを含んでいる第１の検索結果ウェブページを提供するようにさらに構成されている。特に、１次検索結果リストは関連性にしたがって配置された修飾されていない検索項目（例えば未払いの検索項目）だけを含んでおり、スポンサーになった検索結果リストはアルゴリズムにしたがって（例えばランダムに、関連性にしたがって、金額にしたがって）配置された修飾された検索項目だけを含んでいる。
【００１５】
本発明の別の実施形態では、検索アプリケーションは複数の検索結果リスト、即ち１次検索結果リストの少なくとも発生部分、第１のスポンサーになった検索結果リスト、第２のスポンサーになった検索結果リストを含んでいる第１の検索結果ウェブページを提供するようにさらに構成されている。特に、１次検索結果リストは関連性にしたがって配置されている修飾されていない検索項目（例えば未払いの検索項目）だけを含んでおり、スポンサーになった検索結果リストは少なくとも１つのアルゴリズム（例えばランダムに、関連性にしたがって、金額にしたがって）にしたがって配置された修飾された検索項目だけを含んでいる。
【００１６】
この実施形態では、プロモーティングアプリケーションはさらに複数のプロモーティング装置から検索結果リストデータ（例えば検索結果位置データ、検索結果嗜好データ等）を受信するように構成されており、ここで検索結果位置データは少なくとも１つの検索結果リストを識別し、検索結果嗜好データは少なくとも１つの好ましい検索結果リストを識別する。検索結果リストデータは特定の検索結果リストに位置付けるように検索項目に資格を与えるため検索アプリケーションにより使用される。
【００１７】
本発明の別の実施形態では、検索アプリケーションは１つの１次検索結果リストと４つのスポンサーになった検索結果リスト、即ち第１の検索結果リスト、第２の検索結果リスト、第３の検索結果リスト、第４の検索結果リストを含んでいる第１の検索結果ウェブページを提供するようにさらに構成されている。特に、１次検索結果リストは関連性にしたがって配置されている修飾されていない検索項目（例えば未払いの検索項目）だけを含んでおり、スポンサーになった検索結果リストは少なくとも１つのアルゴリズムにしたがって配置された検索項目だけを含んでいる。前述の実施形態のように、プロモーティングアプリケーションが検索結果リストデータを受信するように構成されているならば、検索結果リストデータは特定の検索結果リストに配置するように検索項目を修飾するために使用される。
【００１８】
少なくとも１つの検索結果リストの好ましい位置に検索項目を配置し、アルゴリズムにしたがって好ましい位置を順序付けするシステムおよび方法のさらに完全な理解と、その付加的な利点と目的の認識は、好ましい実施形態の以下の詳細な説明を考慮することによって当業者に可能であろう。添付図面を参照にして説明する。
【発明を実施するための最良の形態】
【００１９】
本発明は少なくとも１つの検索結果リストの好ましい位置に位置付けるように検索項目を修飾し、アルゴリズムにしたがって好ましい位置を順序付けするシステムおよび方法を提供する。以下の詳細な説明では、同じ符号は１以上の図面で示されている同様の素子を示すために使用されている。
【００２０】
本発明の好ましい実施形態は検索システム等の複数のネットワーク装置、複数の受信装置、複数のプロモーティング装置にしたがって動作する。特に、図１に示されているように、検索装置110 はインターネット等の広域網100 を介して複数の受信装置120 および複数のプロモーティング装置130 と通信するように構成されている。ここで示している受信装置とプロモーティング装置（例えば120 、130 ）はパーソナルコンピュータ、テレビジョンセットトップボックス、電話機、消費者機器、パーソナルデジタルアシスタンス（ＰＤＡ）、無線娯楽装置（ＷＥＤ）、無線情報装置（ＷＩＤ）、当業者に通常知られている全ての他の物理的で無線接続されているネットワーク装置とを含むがそれらに限定されないことが認識されるべきである。図１で示されているコンポーネントの位置および／または数は本発明が動作するがそれに限定されない環境を示すために単に与えられていることがさらに認識されるべきである。したがって、例えば付加的な受信装置120 、プロモーティング装置130 および／または検索システム110 を含んでいる検索環境は本発明の技術的範囲内である。
【００２１】
検索システム110 の１実施形態は図１に示されている。特に検索システム110 は広域網100 に接続されている検索サーバ112 、受信された情報のアイテムを記憶するデータベース118 、検索サーバ112 によりデータベース118 および複数のプロモーティング装置と通信するように構成されているプロモーティングアプリケーション114 、検索サーバ112 によりデータベース118 および複数の受信装置と通信するように構成されている検索アプリケーション116 を含んでいる。図１に示されているデータベース（即ち118 ）はＲＡＭキャッシュメモリ、フラッシュメモリ、磁気ディスク、光ディスク、取外し可能なディスク、ＳＣＳＩディスク、ＩＤＥハードドライブ、テープドライブ、スマートカード、および通常当業者に知られている全ての他のタイプのデータ記憶装置（ＲＡＩＤ装置のようなその組合わせ）を含んでいるがそれらに限定されないことが認識されるべきである。図１に示されているプロモーティングおよび／または検索アプリケーション（即ち114 、116 ）は単一のアプリケーションまたは検索システム110 に全体的にまたは部分的に位置されている多数のアプリケーションとして存在してもよいことがさらに認識されるべきである。検索システム110 で示されているコンポーネントの位置および／または数は本発明が動作するが環境を示すためにのみ与えられているがそれに限定されないことも認識されるべきである。したがって、例えば付加的なコンポーネント（例えば多数のデータベース118 等）および／または検索システム110 の外部に位置されているコンポーネント（例えば検索サーバ112 等）を含んでいる検索システム110 は本発明の技術的範囲内に含まれる。
【００２２】
図１を参照すると、プロモーティングアプリケーション114 は検索項目（例えばwww.yahoo.com 等）、検索用語（例えば“自動車”、“beauty supplies ”等）、金額（例えば＄１．００等）のような情報のアイテムを複数のプロモーティング装置130 から受信するように構成されており、各検索項目は少なくとも１つの対応する金額と１つの対応する検索用語に関連されている。本発明の好ましい実施形態では、受信装置へ与えられる実際の情報または、ネットワーク上の実際の情報が位置する場所に関するアドレス情報である。例えばインターネットに関しては、検索項目は実際の情報自体（例えばバナー広告等）であるかまたはアドレスを含んでおり（またはそれに関連しており）、或いはインターネット上の実際の情報の場所（例えばウェブページ、ウェブサイト、ＰＤＦ等）を識別するユニフォームリソースロケータ（ＵＲＬ）が位置されるか検索されることができる。さらに本発明の好ましい実施形態では、検索用語は任意のワード、シンボル、フレーズまたは少なくとも１つの検索項目を識別する（またはそれに関連される）ことができる用語である。プロモーティングアプリケーション114 が情報のアイテム（例えば検索用語、金額等）を受信するように構成されているが、アイテムは複数のプロモーティング装置により前もって選択されるか入力されることが認識されるべきである。例えば１つのアイテムまたはアイテムのリスト（例えば検索用語、金額等）をプロモーティング装置へ提供するように構成され、したがってプロモーティング装置が示されたアイテムの少なくとも１つを選択することを可能にする（検索システムがそれを受信することを可能にする）プロモーティングアプリケーションは本発明の技術的範囲内のものである。さらに、プロモーティング装置が情報のアイテム（例えば検索用語、金額等）を入力し提示することを可能にするプロモーティングアプリケーションも本発明の技術的範囲内のものである。
【００２３】
本発明の１実施形態では、金額は通貨（例えばドル、セント等）に直接的または間接的或いは象徴的に関連する任意の値、数または額であるか、プロモータにとってそれだけの価値があるもの（例えば、単位、点数等）である。さらに本発明の１実施形態では、金額は検索項目が検索結果リストに配置されたならばプロモーティング装置（またはプロモータ）が支払いをする金額に対応している。したがって、例えば検索項目が３つの検索結果リストに配置されるならば（例えば１つのウェブページ上の３つの検索結果リスト、３つのウェブページ上の１つの検索結果リスト等）、３つの金額（即ち３倍の金額）がプロモータへ請求される（例えばプロモータへ請求書が送付され、予め設定された額から差引かれる）。本発明の別の実施形態では、金額は検索項目が検索結果リストに配置されその後リクエスト受信装置（またはサーチャ）により対話されたならばプロモーティング装置（またはプロモータ）が支払いをする金額に対応している。したがって例えば検索項目が検索結果リストに配置されその後サーチャにより対話された（例えばサーチャは実際の情報をクリックスルーする等）ならば、検索項目にリンクされた金額はプロモータへ料金請求される（例えばプロモータへ請求書が送付され、予め設定された金額から差引かれる）。
【００２４】
異なる動作（例えばサーチャがプロモータのウェブサイトから商品を購入する等）に対応しおよび、または多数の動作間で分割される（例えば金額の第１の部分は検索結果リストへの検索項目の配置に対応し、金額の第２の部分は検索項目とのその後の対話に対応する等）金額は本発明の技術的範囲内のものであることが認識されるべきである。金額（またはその一部分）が人口統計的情報（例えば１８−２５歳の男性、カリフォルニア在住の女性、類似の商品を購入したことのある人々等）にリンクされてもよいことも認識されるべきである。この実施形態では金額必須の動作が取られ（例えば対応する検索項目が配置され対話される等）、サーチャのプロフィールが人口統計的情報と一致したならば、金額（またはその一部分）は料金請求だけが行われる。金額が予め設定された金額から差引かれるならば、実時間で（例えばイベントのトリガーが生じたすぐ後）または（例えばイベントのトリガーの有効性を証明するため）予め設定された遅延後にこのような控除を行うことも本発明の技術的範囲内であることがさらに認識されるべきである。例えば、技術で知られているアルゴリズムは金額が差引かれる前（例えば予め設定された遅延中）または金額が差引かれた後（例えば詐欺行為が検出されたならば請求額を貸方記入する等）に詐欺行為（例えばロボットのクリックスルー等）を検出するために使用されてもよい。
【００２５】
本発明の別の実施形態では、データベース118 で受信され記憶された金額は少なくとも１つの検索結果リストに修飾された検索項目を配置するために使用され、ある実施形態では修飾された検索項目を配置するために使用される。それ故、予め定められた数の検索項目だけ（例えば３、５等）が各検索結果リストに配置されるので、プロモーティング装置（または特にプロモーティング装置を動作するプロモータ）は基本的に特定の検索結果リスト（即ち特定の検索用語に応答する検索結果リスト）に検索項目を配置するように競合している。
【００２６】
したがって、本発明の１実施形態では、プロモーティングアプリケーション114 は電子オークションをホストし、複数のプロモーティング装置130 が特定の検索用語に入札すること（即ち特定の検索結果リストに配置されるように検索項目を修飾させるための入札）を可能にするようにさらに構成される。例えば検索用語“自動車”（即ち“自動車”の検索結果リスト）に応答してその検索項目を検索結果リストに配置させることに興味をもつプロモーティング装置は検索用語“自動車”に値をつける（例えば入力するか、または選択する）。したがってこの実施形態では、プロモーティングアプリケーション114 により受信される金額は入札額である。このような実施形態によってプロモーティング装置が特定の検索結果リストに配置されることに関連する金額を決定できることが認識されるべきである。換言すると、特定の検索結果リストに配置するために入札（またはさらに高値を付ける）ことを可能にすることによって、プロモーティング装置は市場値を設定する。
【００２７】
本発明の別の実施形態では、プロモーティングアプリケーション114 は少なくとも１つの固定した金額をプロモーティング装置130 へ提供し、固定した金額が特定の検索用語に関連させるようにさらに構成される。したがって例えば、検索項目を“自動車”の検索結果リストに配置させることに興味をもつプロモーティング装置は検索用語“自動車”に関連する固定した金額（または固定した金額の１つ）を選択する。したがって、この実施形態ではプロモーティングアプリケーション114 により受信される金額は固定した金額である。固定した金額（少なくとも最初に）は入手可能な市場データ（例えば現在同様のサービスに支払いを行っているプロモータ等）からランダムに得られ、または知られている市場予測（例えば目録の売上高比予測（（ＣＶ（Ｐ，Ｔ）−ＣＶ（Ｐ' ，Ｔ））×ＡＣＲ（Ｔ）×ＡＰＰ（Ｔ）×ＡＭＦ（Ｔ）×ＡＤＣ（Ｔ））等）を使用して得られることが認識されるべきである。後者に関しては、ファクタは平均換算比（“ＡＣＲ（Ｔ）”）、平均購入価格（“ＡＰＰ（Ｔ）”）、平均マージン（“ＡＭＧ（Ｔ）”）、平均分配価格割合（“ＡＤＣ（Ｔ）”）、現在のクリック速度（“ＣＶ（Ｐ，Ｔ）”）、従来のクリック速度（“ＣＶ（Ｐ' ，Ｔ）”）を含んでいる。このような実施形態によって（プロモーティング装置と反対に）プロモーティングアプリケーションが特定の検索結果リストに配置されることに関連する金額を決定できることが認識されるべきである。換言すると、特定の検索結果リストに配置するための金額を固定することによって、プロモーティングアプリケーションは配置される市場値を設定する。
【００２８】
本発明の別の実施形態では、固定した金額はディスクリートな時間期間（例えば予め定められた分数、時間数、日数、週数、クリックスルー数等）に関連され、自動的に調節される。本発明の１実施形態では、その後の時間期間はすぐ前の時間期間からの最高の修飾額よりも高い少なくとも１つの固定した金額を含む。例えば５つの固定した金額（例えば６０¢、７０¢、８０¢、９０¢、＄１．００）が最初の時間期間（例えば最初の分、初日等）中に特定の検索用語（例えば“自動車”）の問合わせに応答して与えられることが想定される。さらに受入れられた上位３つの金額（即ち検索結果リストに配置される修飾をされた金額）が８０¢、９０¢、＄１．００の固定した金額であることが想定される。その後第２の時間期間（例えばその後の分、その翌日等）中に、同一の検索（例えば“自動車”）の問合わせに応答して与えられた５つの固定した金額は最初の時間期間（即ち＄１．００）に対する最高の修飾額よりも高い少なくとも１つの固定した金額を含んでいる。換言すると、第２の時間期間中、５つの固定した金額のうちの少なくとも１つは＄１．００よりも高い。本発明の別の実施形態では、特定の時間期間に対する固定した金額は特定の時間期間の開始よりも前（例えば時間期間が開始する前の日等）に提供され、予め定められた時間期間（例えばその日の最初の１２時間等）中にある金額が受入れられなかったならば減少される。このような実施形態では固定した金額はそれらが下限になるか、または受入れられる（即ち購入される）まで減少される。このような実施形態は電子オークションに参加する必要なくプロモーティング装置が連続して（例えば毎日、毎週等）さらに有効な配置位置（例えば好ましい位置等）を得ることを可能にすることが認識されるべきである。
【００２９】
これらの３つの実施形態を参照して、同一の検索用語に対して受信された金額は値が等しいか異なっていることが認識されるべきである。したがって、例えば同一の検索用語に対して等しい入札額を受けるか禁止するように構成されたプロモーティング装置は本発明の技術的範囲内のものである。プロモーティング装置114 は修飾される検索項目にリンクした金額が最低の修飾される金額に等しいように調節するように構成されることができ（または構成されることができ）それによって高値付けまたは過払いを罰しないことがさらに認識されるべきである。
【００３０】
図１に戻ると、検索アプリケーション116 は複数の受信装置120 の１つから検索の問合わせ（即ち検索用語）を受信し、それに応答して少なくとも１つの検索結果リストを提供するように構成されている。本発明の１実施形態では、プロモーティング装置130 により受信され、データベース118 に記憶されている各検索項目は（ｉ）検索項目が検索の問合わせに関連しており、（ii）検索項目が検索結果リストに配置されるように修飾されているならば、検索結果リストに配置される。換言すると、データベース118 に記憶され検索項目にリンクされている検索用語が、検索の問合わせ（即ち受信装置120 により与えられる検索用語）と同じ（または実質上類似）であるならば、第１のプロングが満足される。さらに予め定められた数の金額（即ち検索の問合わせに関連する予め定められた数の検索項目にリンクされるときの）がデータベース118 に記憶され検索項目にリンクされた金額よりも高くないならば、第２のプロングが満足され、検索項目は検索結果リストに配置される資格を与えられる。
【００３１】
例えば図２は５つの例示的な情報セットの受信および記憶を示している（即ち検索用語222 、検索項目224 、金額226 ）。特に、プロモーティング装置114 は検索用語“自動車”に対しては４つの検索項目および対応する金額、検索用語“テレビジョン”に対しては１つの検索項目および対応する金額を受信している。検索アプリケーション114 が検索結果リストに配置されるようにせいぜい３つの支払い検索項目（即ち３つは予め定められた数）を修飾するように構成され、検索アプリケーション114 が受信装置120 から“自動車”検索の問合わせを受信するならば、検索アプリケーション114 は検索結果リストの配置に対してwww.ford.com、www.bmw.com 、www.chevy.com を修飾する。これは検索の問合わせが“自動車”であり（したがってwww.sony.com検索項目を除去し）検索の問合わせに関連する検索項目にリンクした３つの金額が８０¢よりも高い（したがってwww.honda.com 検索項目を除去する）ためである。換言すると、（ｉ）検索の問合わせと関連され、（ii）最高の金額にリンクする予め定められた数の検索項目（この場合３）だけが検索結果リストに配置するように修飾される。
【００３２】
本発明は検索結果リストに任意の特別な予め定められた数の支払い検索項目を配置することに限定されず、特定の検索結果リストに配置されることを修飾をされた実際の支払い検索項目数が多数のファクタ（例えば特定の予め選択された数の選択、修飾された検索項目の有効性等）に基づいていることが認識されるべきである。本発明は検索結果リストに配置するように検索項目を修飾するための金額の使用に限定されず、付加的な情報が使用されてもよいことがさらに認識されるべきである。例えば、同点の場合（即ち等しい金額）、経歴的情報（例えばプロモータの支払い歴、プロモータの口座残高、プロモータの参加期間、検索項目の参加期間等）は少なくとも１つの検索項目を修飾するために使用される。
【００３３】
図１に戻ると、検索アプリケーション116 はさらに少なくとも１つの検索結果リストの好ましい位置（例えば複数の配置位置の最上位等）に修飾された検索項目を位置付け、修飾された検索項目をアルゴリズムにしたがって配置（または順序付け）するようにさらに構成されている。本発明の１実施形態ではアルゴリズムは金額と独立している。したがって例えば、アルゴリズムは修飾された検索項目をランダムにまたは関連性にしたがって配置するように構成されている。換言すると、後者に関しては、少なくとも１つの関連性の大きい修飾された検索項目は検索結果リスト中の少なくとも１つの関連性の少ない修飾された検索項目よりも上位に配置される。本発明の別の実施形態では、アルゴリズムは修飾された検索項目にリンクされている金額に（部分的または全体的）基づいている。例えば、高い金額にリンクされている修飾された検索項目は低い金額にリンクされている修飾された検索項目よりも上位に配置される。検索アプリケーション116 は修飾されていない検索項目が検索の問合わせに関連するならば、少なくとも１つの検索結果リストに修飾されていない検索項目（例えば未払いの検索項目）を配置するようにさらに構成されることが認識されるべきである。したがって例えば、修飾されていない検索項目だけを含んだ検索結果リストは検索項目がさらにデータベース118 の金額にリンクされるかまたは好ましい位置の配置されるように修飾されているかにかかわりなく、検索の問合わせに関連されていることが発見されている少なくとも１つの検索項目を含んでいる。
【００３４】
本発明の実施形態では、検索アプリケーションは検索結果リストの少なくとも一部分を含んでいるウェブページ（“第１の検索結果ウェブページ”）を受信装置へ提供するようにさらに構成されている。例えば、図３は検索の問合わせ310 に応答して発生された１つの検索結果リスト340 の少なくとも一部分（即ち発生部分）を含んでいる第１の検索結果ウェブページ300 を示している。この実施形態では、予め定められた数の修飾された検索項目（例えば３）が検索結果リスト340 の好ましい位置350 に配置され、アルゴリズムにしたがって配置されている。したがって第１の修飾された検索項目320aは（アルゴリズムにしたがって）検索結果リスト340 の第１の配置位置に配置され、第２の修飾された検索項目320bは第２の配置位置に配置される。本発明の１実施形態では、各修飾された検索項目は実際の情報へのハイパーリンクを含んでいる。換言すると、各検索項目は実際の情報が位置される場所に関するネットワークアドレスを含んでおり、したがってサーチャ（即ち受信装置のオペレータ）が実際の情報を検索するために検索項目（即ちハイパーリンク）をクリックすることを可能にする。
【００３５】
（図３で示されているように）予め定められた数の修飾された検索項目が３であるならば、検索結果リスト340 の第４の配置位置（例えば第１の好ましくない位置）は第１の修飾されない検索項目330aにより占有され、第５の配置位置（例えば第２の好ましくない位置）は第２の修飾されない検索項目330bにより占有される。検索結果リスト340 が付加的な修飾されない検索項目を含んでいるならば、これらは第２の検索結果ウェブページ（図示せず）により受信装置に与えられ、これは修飾された検索項目を含んでいてもよい（または含んでいなくてもよい）。例えば、第２の検索結果ウェブページは予め定められた数の修飾された検索項目（例えば第４、第５、第６に最高の金額を有する検索項目等）を好ましい位置に含む検索結果リストの連続した部分を含んでいる。（修飾されたおよび／または修飾されていない）各検索項目は、タイトル情報（例えば320a、320b等）、記述情報（例えば322a、322b等）、コンタクト情報（図示せず）および／または実際の情報（または更に別の情報）が位置されている場所に関するネットワークアドレスのテキスト表示（例えば324a、334b等）のような付加的な情報（即ち付加的に受信された情報）をさらに含んでいてもよいことが認識されるべきである。ネットワークアドレスはさらに付加的な情報内に埋設されてもよく、したがって付加的な情報を実際の（または更に別の）情報へのハイパーリンクにすることも認識されるべきである。図３に示されている多数の修飾されたおよび／または修飾されていない検索項目は本発明が動作する環境を示すために単に与えられたものであり、本発明に限定されないことも認識されるべきである。
【００３６】
本発明の別の実施形態は図４に示されている。特に、第１の検索結果ウェブページ400 は検索の問合わせ410 に応答して生成され、それにおいて第１の検索結果ウェブページ400 は２つの検索結果リスト、即ち少なくとも１次検索結果リスト440 と保証された検索結果リスト450 の発生部分を含んでいる。本発明の好ましい実施形態では、１次検索結果リスト440 は関連性にしたがって配置された修飾されていない検索項目（例えば未払いの検索項目）だけを含んでいる。換言すると、１次検索結果リスト440 の好ましくない位置はそこにおける各配置位置である。さらに本発明の１実施形態では、保証された検索結果リスト450 はアルゴリズム（例えばランダムに、関連性にしたがって、金額にしたがって等）にしたがって配置された修飾された検索項目だけを含んでいる。換言すると、保証された検索結果リスト450 の好ましい位置はそこにおける各配置位置である。したがって、（アルゴリズムにしたがって）第１の修飾された検索項目420aは保証された検索結果リスト450 の第１の配置位置に配置され、最後の修飾された検索項目420c（例えば第３の修飾された検索項目等）は保証された検索結果リスト450 の最後の配置位置に配置される。
【００３７】
本発明の別の実施形態は図５のａに示されている。特に、第１の検索結果ウェブページ500 は検索の問合わせ510 に応答して生成され、それにおいて、第１の検索結果ウェブページ500 は複数の検索結果リスト、即ち少なくとも１つの１次検索結果リスト540 の発生部分、第１の保証された検索結果リスト（“第１の検索結果リスト”）、第２の保証された検索結果リスト（“第２の検索結果リスト”）を含んでいる。本発明の好ましい実施形態では、１次検索結果リスト540 は関連性にしたがって配置された修飾されていない検索項目（例えば未払いの検索項目）だけを含んでいる。換言すると、第１の関連性の高い修飾されていない検索項目530aは１次検索結果リスト540 の第１の配置位置に配置され、第２の関連性の低い修飾されていない検索項目530bは１次検索結果リスト540 の第２の配置位置に配置される。さらに本発明の１実施形態では、第１および第２の検索結果リスト550 、560 は少なくとも１つのアルゴリズムにしたがって（例えばランダムに、関連性にしたがって、金額にしたがって等）配置された修飾された検索項目だけを含んでいる。
【００３８】
本発明の１実施形態（図１参照）では、プロモーティングアプリケーション114 はさらに検索結果リストデータ（例えば検索結果位置データ、検索結果嗜好データ等）を複数のプロモーティング装置130 から受信するように構成されている。特に本発明の１実施形態では、プロモーティングアプリケーション114 は検索用語、検索項目、金額、検索結果位置データをプロモーティング装置130 から受信するように構成され、ここで検索結果位置データは少なくとも１つの検索結果リストを識別する。例えば図５のｂで示されているように、プロモーティングアプリケーション114 は検索用語512 （例えば“自動車”）、検索項目514 （例えばwww.ford.com）、金額516 （例えば＄１．００）、検索結果位置データ518 （例えば第１の検索結果リスト）を受信するように構成されている。この例では３つの記憶された検索項目（即ちwww.ford.com、www.bmw.com 、www.chevy.com ）が第１の検索結果リストを識別する（即ち第１の検索結果リストに配置されている興味を識別する）検索結果位置データにリンクされており、１つの記憶された検索項目（即ちwww.chevy.com ）は第２の検索結果リストを識別する検索結果位置データにリンクされている。
【００３９】
図１と図５のａを参照すると、検索アプリケーション116 は第１の検索結果リスト550 に配置されるように予め定められた数の検索項目（この場合３）と、第２の検索結果リスト560 に配置されるように予め定められた数の検索項目（この場合３）を修飾するように構成されている。図５のｂで識別された情報のアイテムがデータベース118 に記憶されたならば、検索アプリケーション116 は第１の検索結果リストに配置されるようにwww.ford.com、www.bmw.com 、www.chevy.com を修飾する。これはこれらの３つの検索項目が検索の問合わせ（即ち“自動車”）と、第１の検索結果リストを識別する検索結果位置とにリンクされた単なる項目であるためである。検索アプリケーション116 はアルゴリズムにしたがって（例えばランダムに、関連性にしたがって、金額にしたがって等）修飾された検索項目を配置する。
【００４０】
したがって、例えば検索アプリケーション116 が修飾された検索項目をランダムに配置するように構成されているならば、３つの修飾された検索項目の任意の１つは第１の配置位置（即ち第１の修飾された検索項目520a）に配置される。さらに、検索アプリケーション116 が関連性にしたがって修飾された検索項目を配置するように構成されているならば、最も関連性のある検索項目は第１の配置位置（即ち520a）に配置され、次に最も関連性のある検索項目は第２の配置位置（即ち520b）に配置され、最も関連性の少ない検索項目は第３の配置位置（即ち520c）に配置される。さらに、検索アプリケーション116 が修飾された検索項目にリンクされた金額に（限定的に）したがって修飾された検索項目を配置するように構成されたならば、www.bmw.com は第１の配置位置（即ち520a）に配置され、www.ford.comは第２の配置位置（即ち520b）に配置され、www.chevy.com は第３の配置位置（即ち520c）に配置される。
【００４１】
第２の検索結果リスト560 に関して、検索アプリケーション116 は第１の配置位置（即ち第１の修飾された検索項目570a）にwww.chevy.com を配置する。これはwww.chevy.com が検索の問合わせ（即ち“自動車”）と、第２の検索結果リストを識別する検索結果位置データとにリンクされている唯一の検索項目であり、それ故第２の検索結果リストに配置されるように検索項目を修飾するためである。さらに、ただ１つの修飾された検索項目が存在するので、これは使用されるアルゴリズムにかかわりなく第１の配置位置（例えば570a）に配置される。したがって、第２の検索結果リスト560 の第２および第３の配置位置（例えばそれぞれ570b、570c）は空の状態のままである。検索結果位置データは多数の検索結果リストをさらに識別し、したがってそこにリンクされた検索項目が多数の検索結果リストに配置されるという要望を示すことが認識されるべきである。
【００４２】
本発明の別の実施形態（図１参照）では、プロモーティングアプリケーション114 はさらに検索用語、検索項目、金額、検索結果嗜好データをプロモーティング装置130 から受信するように構成され、検索結果嗜好データは少なくとも１つの好ましい検索結果リストを識別する。例えば図５のｃに示されているように、プロモーティングアプリケーションは検索用語512 （例えば“自動車”）、検索項目514 （例えばwww.ford.com）、金額516 （例えば＄１．００）、検索結果嗜好データ518 （例えば第１の検索結果リストは第２の検索結果リストよりも好ましい）を受信するように構成されている。この例では、“自動車”検索用語と、第１の検索結果リスト嗜好を識別する検索結果嗜好データとの両者にリンクされている３つの最高の金額はwww.bmw.com 、www.ford.com、www.chevy.com である。www.honda.com 検索項目は“自動車”検索用語と、第１の検索結果リスト嗜好（即ち“第１／第２”）を識別する検索結果嗜好データとの両者にリンクされているが、その金額が上位の予め定められた数の金額（即ちこの場合、上位３つの金額）にはないので、第１の検索結果リスト中に配置される修飾はされない。検索アプリケーション116 は前述したように第１の検索結果リストの修飾された検索項目を配置する。
【００４３】
www.honda.com は“cars”検索用語にリンクされている唯一の残りの検索項目であるので、これは第２の検索結果リスト中に配置されるように修飾される。さらに第２の検索結果リスト中に配置されることを修飾された検索項目はただ１つしか存在しないので、使用されるアルゴリズムにかかわりなく第１の配置位置に配置される。したがって、第２の検索結果リストの第２および第３の配置位置は空の状態である。検索結果嗜好データは好ましい検索結果リスト（例えば第１の検索結果リスト）または嗜好順序（例えば第２の検索結果リストの前の第１の検索結果リスト等）を識別することがさらに認識されるべきである。修飾された検索項目を１つの検索結果リスト（例えば第１の検索結果リスト等）に配置するために使用されたアルゴリズムは修飾された検索項目を別の検索結果リスト（例えば第２の検索結果リスト等）に配置するために使用されるアルゴリズムと同一である（同一ではない）ことがさらに認識されるべきである。
【００４４】
本発明の別の実施形態では図６のａに示されているように、第１の検索結果ウェブページ600 は検索の問合わせ610 に応答して発生され、ここで第１の検索結果ウェブページ600 は１次検索結果リスト640 と４つの保証された検索結果リスト、即ち第１の検索結果リスト650 、第２の検索結果リスト660 、第３の検索結果リスト680 、第４の検索結果リスト690 を含んでいる。本発明の好ましい実施形態では、１次検索結果リスト640 は関連性にしたがって配置された修飾されていない検索項目（例えば未払いの検索項目）だけを含んでいる。換言すると、第１の関連性の高い修飾されていない検索項目は１次検索結果リスト640 の第１の配置位置に配置され、第２の関連性の低い修飾されていない検索項目は第２の配置位置に配置される等である。さらに本発明の好ましい実施形態では、第１、第２、第３、第４の検索結果リスト650 、660 、680 、690 は少なくとも１つのアルゴリズム（例えばランダムに、関連性にしたがって、金額にしたがって等）にしたがって配置された修飾された検索項目だけを含んでいる。
【００４５】
プロモーティングアプリケーション114 が検索結果位置データを受信するように構成されているならば、プロモーティング装置（または特にプロモーティング装置を動作するプロモータ）は検索項目が配置されるのに望ましい少なくとも１つの検索結果リストを識別できる。代わりに、プロモーティングアプリケーション114 が検索結果嗜好データを受信するように構成されているならば、プロモータは少なくとも１つの好ましい検索結果リストを識別できる。
【００４６】
例えば図６のｂで与えられた情報アイテムを考慮する。（検索の問合わせが“自動車”であると仮定すると）配置を修飾される第１の検索項目はwww.bmw.com であり、それはこれが検索用語（即ち“自動車”）と最高の金額（即ち＄１．１０）にリンクされているためである。さらにこれは第１の検索結果リストに配置される嗜好を識別する検索結果嗜好データにリンクされているので、（即ち１／４／２／３＝第１の検索結果リストは第４の検索結果リストよりも上位であり、第４の検索結果リストは第２の検索結果リストよりも上位であり、第２の検索結果リストは第３の検索結果リストよりも上位である）www.bmw.com は第１の検索結果リストに配置されるように修飾される。配置されるように修飾される第２の検索項目はwww.ford.comであり、それにおいてはこれが検索用語（“自動車”）と第２に高い金額（即ち＄１．００）にリンクされているためである。さらにこれは第１の検索結果リストに配置される嗜好を識別する検索結果嗜好データにリンクされているので、www.ford.comは第１の検索結果リストに配置されるように修飾される。配置を修飾される次の検索項目はwww.chevy.com （それらの両者）であり、それにおいてはこれらが検索用語と次に高い金額（即ち９０¢）にリンクされているためである。さらにこれらの検索項目は第１の検索結果リストと第４の検索結果リストの両者に配置される嗜好を識別するので、これらはしたがって配置されるように修飾される（即ち１つのwww.chevy.com は第１のリスト、他方は第４のリストに配置される）。
【００４７】
配置されるように修飾される第５の検索項目はwww.toyota.comであり、それにおいてはこれが検索用語と次に高い金額（即ち８５¢）にリンクされているためである。さらにこの検索項目は第２の検索結果リストに配置される嗜好を識別するので、これはしたがって配置されることを修飾される。配置を修飾される第６の検索項目はwww.honda.com であり、それにおいてはこれが検索用語と次に高い金額（即ち８０¢）にリンクされているためである。この検索項目は第１の検索結果リストに配置されている嗜好を識別する検索結果嗜好データにリンクされる。予め定められた数の検索項目（例えば３）が既に第１の検索結果リストに配置されるように修飾されているので、www.honda.com は好ましい検索結果リストに配置されることができない。この項目の第２の嗜好は第２の検索結果リストであり、これは現在ただ１つの他の修飾された配置（即ちwww.toyota.com）を有する。したがってwww.honda.com は第２の検索結果リストの配置を修飾される。
【００４８】
配置を修飾される第７の検索項目はwww.lexis.com であり、それにおいてはこれが検索用語と次に高い金額（即ち５０¢）にリンクされている。しかしながらこの検索項目は一杯になっている検索結果リスト（第１の検索結果リスト）に配置される嗜好を識別し、したがってwww.lexis.com は第４の検索結果リスト（即ちその第２の嗜好）に配置される。配置されるようにされる第８の検索項目はwww.acura.com であり、それにおいてはこれが検索用語と次に高い金額（即ち４０¢）にリンクされている。さらにこの検索項目は第２の検索結果リストに配置される嗜好を識別するので、したがって配置されるように修飾される。配置を修飾される第９の最後の検索項目はwww.nissan.comであり、それにおいてはこれが検索用語と次に高い金額（即ち３０¢）にリンクされている。しかしながらこの検索項目は第１の検索結果リスト（一杯になっている）に配置される第１の嗜好と、第２の検索結果リスト（一杯になっている）に配置される第２の嗜好とを識別する検索結果嗜好データにリンクされる。それ故、www.nissan.comは２つの検索結果リスト（両者は一杯である）を識別するだけで、配置されるように修飾されることができない。
【００４９】
検索項目が一度修飾されると、これらは少なくとも１つのアルゴリズムにしたがって（例えばランダムに、関連性にしたがって、金額にしたがって等）配置される。特にwww.ford.com、www.bmw.com 、www.chevy.com は第１のアルゴリズムにしたがって第１の検索結果リスト650 に配置され、www.honda.com 、www.acura.com 、www.toyota.comは第２のアルゴリズムにしたがって第２の検索結果リスト660 に配置され、www.chevy.com 、www.lexis.com は第３のアルゴリズムにしたがって第４の検索結果リスト690 に配置される。したがって第４の検索結果リスト690 の第３の配置位置と、第３の検索結果リスト680 の全ての３つの配置位置は空の状態である。この状態の場合、第３の検索結果リストはその全体において第１の検索結果ウェブページ600 から除外されることが認識されるべきである。
【００５０】
本発明の別の実施形態（図１参照）では、プロモーティングアプリケーション114 は少なくとも１つのプロモーティング装置130 の付加的な機能を実行するかおよび／または付加的な情報を少なくとも１つのプロモーティング装置130 へ提供するようにさらに構成されている。例えばプロモーティングアプリケーションはプロモーティング装置の代わりに入札する（または金額を受入れる）ように構成されている。この実施形態ではプロモーティング装置により提供される（即ちプロモーティングアプリケーションにより受信され検索用語にリンクされる）金額は最大の金額である。したがってプロモーティングアプリケーションは最大の金額を超えずその金額まで入札（または受入れる）ように構成されている。さらにプロモーティングアプリケーションは変化された条件に応答してプロモーティング装置に注意するように構成されることができる（例えば検索項目の修飾の変化、検索項目の配置位置の変化、配置期間の終わり等）。さらにプロモーティングアプリケーションはプロモーティング装置に付加的な情報（例えば金額を配置または受入れる価格を評価するためのプロモータの口座および／または検索項目についての統計的情報、検索システム特定の観点におけるレポート／解析（例えば検索用語、人口統計等））を提供するようにさらに構成されている。これらの特徴は実時間で動作／実行される（または行われない）ことが認識されるべきである。
【００５１】
少なくとも１つの検索結果リストに配置するように検索項目を修飾する１方法が図７に示されている。特にステップ710 と720 では、第１の検索用語、第２の検索用語、検索項目、金額が受信される。第２の検索用語は、ステップ730 で少なくとも金額および第１の検索用語と共に使用され、少なくとも１つの検索結果リストに配置されるように検索項目を修飾する。例えば、第１の検索用語と第２の検索用語が同一（または実質的に類似）であり、金額が比較的高いならば、検索項目は少なくとも１つの検索結果リストに配置されるよう修飾される。ステップ740 では、（配置されるように修飾されていると仮定すると）検索項目はアルゴリズムにしたがって配置される。最後にステップ750 で、少なくとも１つの検索結果の少なくとも一部を含んでいる第１の検索結果ウェブページが与えられる。
【００５２】
本発明の別の実施形態では、検索結果リストデータ（例えば検索結果位置データ、検索結果嗜好データ等）はさらにステップ710 で受信される。ステップ730 で、金額、第１の検索用語、第２の検索用語は複数の検索結果リストのうちの少なくとも１つに検索項目の配置のための修飾を行うために使用される。ステップ750 で、第１の検索結果ウェブページがサーチャに与えられ、この場合第１の検索結果ウェブページは複数の検索結果リストを含んでいる。例えばウェブページは１次検索結果リストに関して配置される（例えば最上部、上位右側の角、左側）複数（第１、第２、第３等に）検索結果リストを含んでいる。
【００５３】
以上、少なくとも１つの検索結果リストの好ましい位置に検索項目を配置し、アルゴリズムにしたがって好ましい位置を順序付けするシステムおよび方法の好ましい実施形態を説明したが、システムのある利点が実現されることが当業者に明白になるべきである。種々の変形、適合、別の実施形態が本発明の技術的範囲内で行われることも認識されるべきである。本発明は特許請求の範囲によりさらに規定される。
【図面の簡単な説明】
【００５４】
【図１】本発明の１実施形態にしたがって動作する検索システムを含んだ検索環境の高レベルのアーキテクチャの概略図。
【図２】本発明の例示的な実施形態で受信され記憶される情報のアイテムを示す図。
【図３】本発明の１実施形態にしたがって検索結果リストを含んでいる第１の検索結果ウェブページを示す図。
【図４】本発明の別の実施形態にしたがって１次検索結果リスト上に位置されている保証された検索結果リストを含んでいる第１の検索結果ウェブページを示す図。
【図５】本発明の別の実施形態にしたがって１次検索結果リストよりも上に位置されている第１の保証された検索結果リストと、１次検索結果リストよりも下に位置されている第２の保証された検索結果リストとを含んでいる第１の検索結果ウェブページを示す図と、本発明の２つの例示的な実施形態で受信され記憶される情報のアイテムを示す図。
【図６】本発明の別の実施形態にしたがって１次検索結果リストよりも上に位置されている第１の保証された検索結果リストと、１次検索結果リストよりも下に位置されている第２の保証された検索結果リストと、１次検索結果リストの左側に位置されている第３の検索結果リストと、１次検索結果リストの右側に位置されている第４の検索結果リストを含んでいる第１の検索結果ウェブページと、本発明の例示的な実施形態で受信され記憶される情報のアイテムとを示している図。
【図７】本発明の１実施形態にしたがって少なくとも１つの検索結果リストに配置するように検索項目に資格を与える方法を示している図。
【図１】
2005025714.tif 000003
【図２】
2005025714.tif 000004
【図３】
2005025714.tif 000005
【図４】
2005025714.tif 000006
【図５】
2005025714.tif 000007
【図６】
2005025714.tif 000008
【図７】
2005025714.tif 000009